(57)【要約】【課題】ウエットティッシュ容器における容器本体と蓋体との嵌合する部分からの液体の漏れ出しを無くして、ウエットティッシュ容器における容器本体の表面が汚れるといった問題を解消する。【解決手段】上部を開口し、その内部に切り離して一枚ずつ引き出し可能となるウエットティッシュ３０を収納する容器本体１と、この容器本体１の上部に着脱自在に嵌合すると共に、高低差のある傾斜面状の天面板２５を備えて、この天面板２５にウエットティッシュ３０を引き出すための引き出し孔４２を設けた蓋体２と、からなるウエットティッシュ容器において、蓋体２の天面板２５の内面における引き出し孔４２の位置より低い側となる位置を含む引き出し孔４２の周囲の位置に、下方に向かうリング状の液体滴下壁５０を設けることにより、ウエットティッシュ３０に含浸した液体が天面板２５の内面に付着し、天面板２５の内面を伝わって下方へと流れ出しても、液体滴下壁５０によって下方に滴下するようになる。【選択図】図７
2009046179.tif 000002
【特許請求の範囲】
【請求項１】
上部を開口し、その内部に切り離して一枚ずつ引き出し可能となるウエットティッシュ３０を収納する容器本体１と、この容器本体１の上部に着脱自在に嵌合すると共に、高低差のある傾斜面状の天面板２５を備えて、この天面板２５にウエットティッシュ３０を引き出すための引き出し孔４２を設けた蓋体２と、からなるウエットティッシュ容器において、
前記蓋体２の天面板２５の内面における引き出し孔４２の位置より低い側となる位置に、下方に向かう液体滴下壁５０を設けたことを特徴とするウエットティッシュ容器。
【発明の詳細な説明】
【技術分野】
【０００１】
本発明は、ウエットティッシュを内部に収納する容器本体と、この容器本体の上部に着脱自在に嵌合する蓋体とからなり、内部に収納したウエットティッシュを引き出して使用するウエットティッシュ容器に関し、特に、その蓋体において、高低差のある傾斜面状の天面板を備えるようにしたウエットティッシュ容器に関する。
【背景技術】
【０００２】
従来、内部に収納したウエットティッシュを引き出して使用するウエットティッシュ容器にあっては、上部を開口する容器本体の内部に、一枚ずつ切り離し可能となるロール状のウエットティッシュを収納すると共に、この容器本体の上部に蓋体を着脱自在に嵌合し、この蓋体にはその天面板にウエットティッシュを引き出すための引き出し孔を設けていた。
【０００３】
このような構成となるウエットティッシュ容器において、近年、そのデザイン性やウエットティッシュ引き出し時の操作性を考慮して、例えば、特開平７−２０６０５５号公報に開示されているように、蓋体において、高低差のある傾斜面状の天面板を備えるようにしたウエットティッシュ容器があった。
【０００４】
そして、このようなウエットティッシュ容器にあっては、単なる手を拭くためのものから、レンジまわり、電子レンジ、冷蔵庫といったキッチン周辺の汚れを落とすためのもの、さらには、テーブル、イス、タンス等の家具の汚れを落とすためのものといった使用用途の多様化に伴って、内部に収納するウエットティッシュは目付の薄いものから厚いものまで様々であり、特に厚手のものでは１枚当りに水分、アルコール分等の液体を大量に含浸させたものが増えてきた。
【０００５】
【特許文献１】特開平７−２０６０５５号公報
【発明の開示】
【発明が解決しようとする課題】
【０００６】
従来のウエットティッシュ容器において、内部に収納するウエットティッシュに大量の液体を含浸させたものにあっては、蓋体の天面板に設けた引き出し孔よりウエットティッシュを引き出す際、この引き出し孔によってウエットティッシュが絞られ、ウエットティッシュに含浸させた液体が蓋体の天面板の内面に付着する。そして、蓋体の天面板の内面に付着した液体が天面板の内面を伝わって下方へと流れ出し容器本体と蓋体との嵌合する部分より外部へと漏れ出してウエットティッシュ容器における容器本体の表面が漏れ出した液体によって汚れるといった問題が生じるおそれがあった。
【０００７】
本発明は、このような問題に鑑み、ウエットティッシュ容器における容器本体と蓋体との嵌合する部分からの液体の漏れ出しを無くしてウエットティッシュ容器における容器本体の表面が汚れるといった問題を解消することを、その課題とする。
【課題を解決するための手段】
【０００８】
本発明は、上部を開口し、その内部に切り離して一枚ずつ引き出し可能となるウエットティッシュを収納する容器本体と、この容器本体の上部に着脱自在に嵌合すると共に、高低差のある傾斜面状の天面板を備えて、この天板にウエットティッシュを引き出すための引き出し孔を設けた蓋体と、からなるウエットティッシュ容器において、蓋体の天面板の内面における引き出し孔の位置より低い側となる位置に、下方に向かう液体滴下壁を設けたものである。
【発明の効果】
【０００９】
本発明によれば、蓋体の天面板の内面における引き出し孔の位置より低い側となる位置に、下方に向かう液体滴下壁を設けたことにより、蓋体の天面板の引き出し孔よりウエットティッシュを引き出す際、この引き出し孔において絞られたウエットティッシュに含浸した液体が天面板の内面に付着し、天面板の内面を伝わって下方へと流れ出しても、この液体が液体滴下壁によって下方に滴下するようになり、これにより、容器本体と蓋体との嵌合する部分に液体が流れるのを防止して、ここからの液体の漏れ出しを無くすことができ、ウエットティッシュ容器における容器本体の表面が汚れるといった問題を解消することができる。
【発明を実施するための最良の形態】
【００１０】
本発明によるウエットティッシュ容器の一実施形態について説明する。
図１、図２、図３、図４に示しように、ウエットティッシュ容器としては、上部を開口し、その内部にウエットティッシュ３０を収納する容器本体１と、この容器本体１の上部に着脱自在に嵌合すると共に、天面板２５にウエットティッシュ３０を引き出すための引き出し孔４２を設けた蓋体２と、から構成する。
【００１１】
前記容器本体１は、平らな前面板１１及び後面板１２、前後中央が膨らんで湾曲した左側面板１３及び右側面板１４、そして底面板１５、をそれぞれ備えて、その上部に蓋体２を嵌合するための凹状嵌合部１６を略全周にわたって形成すると共に、上部を円形に開口する。なお、この容器本体１あるいは後述する蓋体２にあっては、このような形状のものに限定されるものではなく、円筒形、四角筒形、多角筒形等の単純な形状のものから動物等の外形を象った複雑な立体形状のもの等、他の形状のものでも良い。また、嵌合方法についても、これに限定されるものではない。
【００１２】
そして、この容器本体１の内部に、一定の間隔で切り取り線３１を入れて、この切り取り線３１に沿って切り離して一枚ずつ引き出し可能となるロール状のウエットティッシュ３０を収納する。このウエットティッシュ３０には、水やアルカリ電解水等の水分、発酵アルコール等のアルコール分等の液体、さらには界面活性剤や植物エキス、防腐剤等を添加した液体を大量に含浸させている。
【００１３】
前記蓋体２は、容器本体１の前面板１１、後面板１２、左側面板１３、右側面板１４それぞれに連続するようになる前面板２１、後面板２２、左側面板２３、右側面板２４を備え、さらに天面板２５を備える。また、天面板２５にあっては、前面板２１を低く、後面板２２を高くすることで、前方に向かって低くなる、すなわち高低差のある若干湾曲した傾斜面状にする。なお、この傾斜面状の天面板２５にあっては、湾曲することなく直線の傾斜面でも良い。また、傾斜についても一方向に傾斜するのではなく、多方向わたって傾斜する複雑な傾斜面のものでも良い。
【００１４】
そして、この蓋体２の下部には、その内面に容器本体１の凹状嵌合部１６に嵌合する凸状嵌合部２６を略全周にわたって形成する。この容器本体１の凹状嵌合部１６と蓋体２の凸状嵌合部２６とにより、蓋体２が容器本体１の上部に着脱自在に嵌合するようになり、これにより、容器本体１の内部に収納するウエットティッシュ３０が無くなったら、蓋体２を容器本体１から取り外して、新たなウエットティッシュ３０を容器本体１の内部に収納するようにしてウエットティッシュ３０の詰め替えを行う。
【００１５】
また、図５に示すように、天面板２５には、前後に向かって窪み部４１を形成して、この窪み部４１の中央にウエットティッシュ３０を引き出すための引き出し孔４２を設ける。この引き出し孔４２は小円を有しつつ十字状の切れ目を有したものである。なお、この引き出し孔４２にあっては、前述のものに限定されるものではなく、他の形状のものでも良い。
【００１６】
そして、この天面板２５には引き出し孔４２を含む窪み部４１全体を覆うようになるカバー４３を備え、このカバー４３は、その後部において枢着することにより開閉自在となり、さらに、窪み部４１の引き出し孔４２の周囲に、円形のリング状となる内嵌合片４４を設けると共に、カバー４３の内側に、窪み部４１に設けた内嵌合片４４に嵌合する円形のリング状となる外嵌合片４５を設けて、この内嵌合片４４と外嵌合片４５を嵌合することにより、カバー４３が天面板２５の窪み部４１に確実に閉じるようにする。また、このカバー４３の前端では、天面板２５の窪み部４１との間に隙間を形成することにより、カバー４３の前端に指が引っ掛かるようにして、カバー４３を天面板２５の窪み部４１より容易に上方に開けることができるようにする。なお、窪み部４１、カバー４３及び天面板２５にあっては、前述のものに限定されるものではなく、例えば、窪み部４１を形成することなく、天面板２５の上に引き出し孔４２を覆うように単にキャップ状のカバー４３を備えたもの等、他のものでも良い。また、内嵌合片４４についても円形に限らず外嵌合片４５としっかり嵌合する形状であれば、他の形状でも良い。さらに、外嵌合片４５の内嵌合片４４と接する部分よりも内側に、ウエットティッシュ３０の乾燥を防ぐためのインナーリングを設けるようにしても良い。
【００１７】
このような構成となるウエットティッシュ容器において、蓋体２の天面板２５の内面に下方に向かって垂下する液体滴下壁５０を設ける。図６に示すように、この液体滴下壁５０は、円形のリング状として、天面板２５に設けた引き出し孔４２の位置より低い側となる位置を含む引き出し孔４２の周囲の位置に設けて、この液体滴下壁５０によって引き出し孔４２の周り全周を囲んでいる。
【００１８】
そして、この液体滴下壁５０にあっては、その垂下する長さとしては５〜１０ｍｍ程度とするのが良いが、液体の粘性、含浸量等によって、５ｍｍ以下にしても良く、あるいは、１０ｍｍ以上にする場合もある。要するに、蓋体２の天面板２５の内面において、引き出し孔４２より天面板２５の内面を伝わって下方へ流れてきた液体を、所望の場所に確実に誘導して滴下することができるものであれば良い。
【００１９】
また、この液体滴下壁５０は、下方に向かって真っ直ぐに垂下するものに限定されるものではなく、下方に向かって多少狭まるように斜めに、あるいは多少広がるように斜めにしたものでも良い。
【００２０】
このように蓋体２の天面板２５の内面における引き出し孔４２の位置より低い側となる位置を含む引き出し孔４２の周囲の位置に、下方に向かって垂下する液体滴下壁５０を設けたことにより、図７に示すように、ウエットティッシュ３０を蓋体２の天面板２５の引き出し孔４２より引き出す際、この引き出し孔４２において絞られたウエットティッシュ３０に含浸した液体が天面板２５の内面に付着し、天面板２５の内面を伝わって下方へと流れ出しても、この液体が液体滴下壁５０によって下方に滴下するようになる。そして、滴下した液体は、容器本体１の内部に収納したウエットティッシュ３０に再び含浸するようになっている。これにより、容器本体１と蓋体２との嵌合する部分に液体が流れるのを防止して、ここからの液体の漏れ出しを無くすことができる。
【００２１】
また、この蓋体２において、傾斜面状の天面板２５における傾斜角が小さい、すなわち高低差が少ない天面板２５にした場合、ウエットティッシュ３０に含浸させた水等の液体が天面板２５の内面を下方へと流れ出すことなく引き出し孔４２の周囲に付着したままとなることがある。このため、ウエットティッシュ３０の詰め替えを行う際、天面板２５の内面に付着した液体が蓋体２の取り外し時の勢いによって周りに飛び散ってしまうといった問題が生じるおそれがあったが、蓋体２の天面板２５の内面における引き出し孔４２の周囲の位置に全周にわたって液体滴下壁５０を設けたことにより、天面板２５の内面に付着した液体が液体滴下壁５０によって周りに飛び散るのを防ぐことができ、ウエットティッシュ３０の詰め替え作業おいて、使用者の手が濡れてしまうといった問題も無くすことができる。
【００２２】
次に、蓋体２の天面板２５の内面に設けた液体滴下壁５０の別の例について述べる。
別の例としては、図８に示すように、天面板２５に設けた引き出し孔４２の位置より低い側となる位置に、円形の半リング状となる液体滴下壁５０を設けて、引き出し孔４２の位置より高い側となる位置には液体滴下壁５０を設けないようにする。これによっても、引き出し孔４２において絞られたウエットティッシュ３０に含浸した液体が天面板２５の内面に付着し、天面板２５の内面を伝わって下方へと流れ出しても、この液体を液体滴下壁５０によって下方に滴下させることができる。
【００２３】
また、別の例としては、図９に示すように、天面板２５に設けた引き出し孔４２の位置より低い側となる位置に、Ｖ字状となる液体滴下壁５０を設ける。これによっても、引き出し孔４２において絞られたウエットティッシュ３０に含浸した液体が天面板２５の内面に付着し、天面板２５の内面を伝わって下方へと流れ出しても、この液体を液体滴下壁５０によって下方に滴下させることができる。なお、蓋体２において傾斜面状の天面板２５における傾斜角が小さい場合等は、このＶ字状となる液体滴下壁５０におけるＶ字の角度を小さくすることによって液体滴下壁５０の端部を引き出し孔４２の左右横の際に設けるようにして、ウエットティッシュ３０の詰め替えを行う際、天面板２５の内面に付着した液体が液体滴下壁５０によって周りに飛び散るのを極力無くすようにしても良い。
【００２４】
さらに、別の例としては、図１０に示すように、一つの連続した液体滴下壁５０にするのではなく、これを複数に分けて、例えば、左右の液体滴下壁５０ａ，５０ｂと前側の液体滴下壁５０ｃの三つに分けて、この三つの液体滴下壁５０ａ，５０ｂ，５０ｃを、少なくとも天面板２５に設けた引き出し孔４２の位置より低い側となる位置に設ける。このとき、左右の液体滴下壁５０ａ，５０ｂにあっては、引き出し孔４２の左右横の際に設けるようにする。これによって、引き出し孔４２において絞られたウエットティッシュ３０に含浸した液体が天面板２５の内面に付着し、天面板２５の内面を伝わって下方へと流れ出しても、この液体を三つの液体滴下壁５０ａ，５０ｂ，５０ｃによって下方に滴下させることができると共に、さらにウエットティッシュ３０の詰め替えを行う際、天面板２５の内面に付着した液体が左右の液体滴下壁５０ａ，５０ｂ等によって周りに飛び散るのを極力無くすこともできる。
【００２５】
なお、この液体滴下壁５０にあっては、前述した例に限定されるものではなく、天面板２５の内面を伝わって下方へ流れてきた液体を、この液体滴下壁５０によって確実に滴下することができるものであれば、どのような形状のものでも良い。
【図面の簡単な説明】
【００２６】
【図１】本発明のウエットティッシュ容器の側面図である。
【図２】本発明のウエットティッシュ容器の上面図である。
【図３】本発明のウエットティッシュ容器の斜視図である。
【図４】本発明のウエットティッシュ容器の断面図である。
【図５】本発明のウエットティッシュ容器における蓋体の斜視図である。
【図６】本発明のウエットティッシュ容器における蓋体を下方から見た下面図である。
【図７】本発明のウエットティッシュ容器における作用状態を示す説明図である。
【図８】本発明のウエットティッシュ容器における別の例の蓋体を下方から見た下面図である。
【図９】本発明のウエットティッシュ容器における別の例の蓋体を下方から見た下面図である。
【図１０】本発明のウエットティッシュ容器における別の例の蓋体を下方から見た下面図である。
【符号の説明】
【００２７】
１…容器本体、２…蓋体、１１…前面板、１２…後面板、１３…左側面板、１４…右側面板、１５…底面板、１６…凹状嵌合部、２１…前面板、２２…後面板、２３…左側面板、２４…右側面板、２５…天面板、２６…凸状嵌合部、３０…ウエットティッシュ、３１…切り取り線、４１…窪み部、４２…引き出し孔、４３…カバー、４４…内嵌合片、４５…外嵌合片、５０…液体滴下壁、５０ａ…液体滴下壁、５０ｂ…液体滴下壁、５０ｃ…液体滴下壁
【図１】
2009046179.tif 000003
【図２】
2009046179.tif 000004
【図３】
2009046179.tif 000005
【図４】
2009046179.tif 000006
【図５】
2009046179.tif 000007
【図６】
2009046179.tif 000008
【図７】
2009046179.tif 000009
【図８】
2009046179.tif 000010
【図９】
2009046179.tif 000011
【図１０】
2009046179.tif 000012